(57)【要約】【課題】切断材を載置するテーブルに対して切断機本体を上下に傾動操作可能かつ前後にスライド操作可能に支持した卓上型の切断工具において、従来切断機本体のスライド位置を固定するために固定ねじを回転する必要があり、操作が面倒であった。本発明では、固定ねじよりも簡単な操作で切断機本体のスライド位置を固定できるようにする。【解決手段】テーブル２側に設けたロックピン３１を、切断機本体１０側のスライダ１３に設けたロック孔３２に対して抜き差しすることにより、切断機本体１０のスライド位置をロック、アンロックする構成とする。ロックピン３１をつまんで軸方向に移動させる簡単な操作で切断機本体１０のスライド位置をロック、アンロックできるので、従来の固定ねじに比して操作性が高まる。【選択図】図１
2015016514.tif 000002
【特許請求の範囲】
【請求項１】
切断材を載置するテーブルと、前記切断材の上方において上下に移動操作可能かつ前記テーブルの面方向にスライド操作可能に支持された切断機本体を備えた卓上型の切断工具であって、
前記切断機本体のスライド位置を固定するためのスライドロック装置を備えており、該スライドロック装置は、スライド支持側部材とスライド側部材の一方に当接部材を備え、他方に該当接部材が当接される被当接部を備えており、
前記当接部材が前記被当接部に当接されて前記切断機本体のスライド位置を固定可能であり、前記当接部材が前記被当接部から離脱して前記切断機本体の前記スライド位置固定状態を解除可能であり、
前記当接部材を、前記スライド方向に交差する軸線方向に移動操作して前記被当接部に対して当接、離脱させる構成とした切断工具。
【請求項２】
請求項１記載の切断工具であって、前記当接部材を前記被当接部から離脱させたアンロック位置に保持可能な構成とした切断工具。
【請求項３】
請求項１又は２記載の切断工具であって、前記当接部材を前記被当接部に当接させたロック位置側に弾性付勢した切断工具。
【請求項４】
請求項１〜３の何れか１項に記載した切断工具であって、前記被当接部として凹部を設け、該被当接部に対して前記当接部材の先端部を凹凸係合させて前記切断機本体のスライド位置を固定させる構成とした切断工具。
【請求項５】
請求項１〜４の何れか１項に記載した切断工具であって、前記当接部材としてのロックピンを前記スライド支持側部材に設け、前記被当接部としてのロック孔を前記スライド側部材に設け、前記当接部材の先端部を前記被当接部に進入させて前記切断機本体のスライド位置を固定させる構成とした切断工具。
【請求項６】
請求項１〜５の何れか１項に記載した切断工具であって、前記テーブルに設けた本体支持アームを前記スライド支持側部材とし、該本体支持アームに設けたスライドバーを介してスライドするスライダを前記スライド側部材として、前記本体支持アームに前記当接部材としてのロックピンを備え、前記スライダに前記被当接部としてのロック孔を備えた切断工具。
【請求項７】
請求項１〜６の何れか１項に記載した切断工具であって、前記当接部材を前記軸線回りに回転させて当該当接部材を、前記被当接部から離脱させたアンロック位置に保持可能な構成とした切断工具。
【請求項８】
請求項１〜７の何れか１項に記載した切断工具であって、前記スライドロック装置により、前記切断機本体をスライド後退端位置に固定可能な切断工具。
【発明の詳細な説明】
【技術分野】
【０００１】
この発明は、例えば、スライドマルノコを称される卓上型の切断工具に関する。
【背景技術】
【０００２】
卓上型の切断工具に関する技術が下記の特許文献に開示されている。この切断工具は、切断材を載置するテーブルと、テーブルに対して上下動可能かつテーブル面に沿ってスライド可能に支持された切断機本体を備えるもので、切断機本体は電動モータを駆動源として回転する円形の切断刃を備えている。この切断工具によれば、テーブル面上に固定した切断材に対して切断機本体を下動させて切断刃を切り込ませ、若しくは切り込み状態で切断機本体をさらにテーブル面方向にスライドさせることにより切断材を切断加工することができる。
【先行技術文献】
【特許文献】
【０００３】
【特許文献１】特開２００５−２７９９３４号公報
【発明の概要】
【発明が解決しようとする課題】
【０００４】
しかしながら、上記従来の一般的な卓上型の切断工具では、切断機本体のスライド位置を固定するための手段（スライドロック）として固定ねじを用いる構成であったので、切断機本体のスライド位置を固定する際及び固定状態を解除する際にはこの固定ねじを回転させる操作が必要になり、この点で操作が面倒で改善する必要があった。
本発明は、係る従来の問題に鑑みてなされたもので、切断機本体のスライド位置の固定操作及び固定状態の解除操作の操作性を高めることを目的とする。
【課題を解決するための手段】
【０００５】
上記の課題は、下記の発明によって解決される。
第１の発明は、切断材を載置するテーブルと、切断材の上方において上下に移動操作可能かつテーブルの面方向にスライド操作可能に支持された切断機本体を備えた卓上型の切断工具である。この切断工具は、切断機本体のスライド位置を固定するためのスライドロック装置を備えている。このスライドロック装置は、スライド支持側部材とスライド側部材の一方に当接部材を備え、他方に当接部材が当接される被当接部を備えており、当接部材が被当接部に当接されて切断機本体のスライド位置を固定可能であり、当接部材が被当接部から離脱して切断機本体のスライド位置固定状態を解除可能な構成を備えている。当接部材は、前記スライド方向に交差する軸線方向に移動操作（抜き差し操作）して被当接部に対して当接、離脱させる構成とした切断工具である。
第１の発明によれば、当接部材を軸線方向に移動操作して被当接部に対して抜き差しすれば切断機本体のスライド位置を固定することができる。このことから、従来の固定ねじを回転させる面倒な操作よりも簡単な操作で切断機本体のスライド位置を固定することができ、この点で当該切断工具の操作性を高めることができる。
第２の発明は、第１の発明において、当接部材を被当接部から離脱させたアンロック位置に保持可能な構成とした切断工具である。
第２の発明によれば、使用者が当接部材を一旦アンロック位置に移動操作すれば、その後使用者が手で保持することなく当接部材をアンロック位置に保持しておくことができ、この点で当該切断工具の操作性をより一層高めることができる。
第３の発明は、第１又は第２の発明において、当接部材を被当接部に当接させたロック位置側に弾性付勢した切断工具である。
第３の発明によれば、使用者が当接部材を一旦ロック位置に移動操作すれば、その後使用者が手で保持することなく当接部材をロック位置に保持しておくことができ、この点で当該切断工具の操作性をより一層高めることができる。
第４の発明は、第１〜第３の何れか１つの発明において、被当接部として凹部を設け、この被当接部（凹部）に対して当接部材の先端部を凹凸係合させて前記切断機本体のスライド位置を固定させる構成とした切断工具である。
第４の発明によれば、当接部材の先端部をスライド方向に交差する方向に進入させて凹凸係合させることによりスライド位置を固定する構成であるので、従来の固定ねじの先端部をねじの締め付け力でスライド側部材（切断機本体側）に押し付けて固定する構成ではないので、切断刃の変位を招くことがなく、これにより高精度の切断加工を実現することができる。
第５の発明は、第１〜第４の何れか１つの発明において、当接部材としてのロックピンをスライド支持側部材に設け、被当接部としてのロック孔をスライド側部材に設け、当接部材（ロックピン）の先端部を被当接部（ロック孔）に進入させて切断機本体のスライド位置を固定させる構成とした切断工具である。
第５の発明によれば、スライド支持側の当接部材（ロックピン）の先端部を、スライド側の被当接部（ロック孔）に進入させてスライド側部材のスライド位置を固定することができる。ロックピンをその軸方向に移動させてスライド位置をロックし、逆にアンロックする構成であるので、従来の固定ねじを回転させる面倒な操作に比して操作性を高めることができる。また、ロックピンの先端部をロック孔に進入させてスライド位置を固定する構成であり、従来の固定ねじをねじの締め付け力で押し付けて固定する構成ではないので、切断刃の変位を招くことなく、これにより高精度の切断加工を行うことができる。
第６の発明は、第１〜第５の何れか１つの発明において、テーブルに設けた本体支持アームをスライド支持側部材とし、本体支持アームに設けたスライドバーを介してスライドするスライダをスライド側部材として、本体支持アームに当接部材としてのロックピンを備え、スライダに被当接部としてのロック孔を備えた切断工具である。
第６の発明によれば、本体支持アームの当接部材を軸方向に移動操作してスライダの当接部に当接させることにより切断機本体のスライド位置を固定することができる。当接部材を軸方向に移動操作してロック、アンロックすることができるので、従来に比してスライド位置のロックアンロック操作の操作性を高めることができる。
第７の発明は、第１〜第６の何れか１つの発明において、当接部材を軸線回りに回転させて当該当接部を、被当接部から離脱させたアンロック位置に保持可能な構成とした切断工具である。
第７の発明によれば、当接部材のアンロック位置を使用者が保持しておく必要はなく、この点で当該スライドロック装置の操作性を高めることができる。
第８の発明は、第１〜第７の何れか１つの発明において、スライドロック装置により、切断機本体をスライド後退端位置に固定可能な切断工具である。
第８の発明によれば、切断機本体をスライド後退端位置までスライドさせた状態で、当接部材を軸線方向に移動操作すれば、切断機本体がスライド後退端位置でスライド不能に固定される。
【図面の簡単な説明】
【０００６】
【図１】本発明の実施形態に係る卓上型の切断工具の全体側面図である。本図は、切断機本体をスライド前進端に移動させた状態を示している。
【図２】図１の(II)矢視図であって、切断工具の全体平面図である。
【図３】図１の(III)矢視図であって、切断工具の全体正面図である。
【図４】本発明の実施形態に係る卓上型の切断工具の全体側面図である。本図は、切断機本体をスライド後退端に移動させた状態を示している。
【図５】図４の(V)矢視図であって、切断工具の全体平面図である。
【図６】図４の(VI)矢視図であって、切断工具の全体正面図である。
【図７】スライドロック装置及びその周辺の斜視図である。本図は、スライドロック装置のロック状態を示している。
【図８】図７の(VIII)-(VIII)線断面矢視図であって、スライドロック装置及びその周辺の横断面図である。
【図９】スライドロック装置及びその周辺の斜視図である。本図は、スライドロック装置のアンロック状態を示している。
【図１０】図９の(X)-(X)線断面矢視図であって、スライドロック装置及びその周辺の横断面図である。
【図１１】スライドロック装置の分解斜視図である。
【発明を実施するための形態】
【０００７】
次に、本発明の実施形態を図１〜図１１に基づいて説明する。図１〜図６は、本実施形態に係る切断工具１を示している。図１〜図６において、切断工具１の右側に使用者が位置する。以下の説明において部材等の前後左右上下の各方向については使用者を基準として用いる。従って、切断工具１の前側に使用者が位置し、切断機本体１０を使用者の手前側から後方へ向けて移動させることにより切断材Ｗの切断加工がなされる。
この切断工具１は、例えばスライドマルノコとも称される卓上型の切断工具で、切断材Ｗを載置するテーブル２と、テーブル２を支持するベース３と、テーブル２の上方において上下に移動操作可能に支持された切断機本体１０を備えている。テーブル２はベース３の上面に左右に回転可能に支持されている。ベース２の左右両側部には、補助テーブル部３ａ，３ａが設けられている。両補助テーブル部３ａ，３ａの上面は、テーブル２の上面に一致している。この左右の補助テーブル部３ａ，３ａ間に跨った状態で切断材Ｗがテーブル２の上面に載置されている。切断材Ｗは、左右の補助テーブル部３ａ，３ａに装備したクランプ装置（図示省略）により固定される。テーブル２の上面側には切断材Ｗを位置決めするためのフェンス４が設けられている。このフェンス４は、左右の補助テーブル部３ａ，３ａ間に跨ってテーブル２の上面との間に僅かな隙間を置いた状態で配置されている。フェンス４の位置決め面（切断材Ｗが当接される面）は平面的に見てテーブル２の回転中心に一致している。
テーブル２は、その前部に設けたグリップ２ａを把持する等して左右に回転させることができる。テーブル２の回転位置は、位置決めロッド２ｂをベース３側に設けた位置決め凹部３ｂ〜３ｂに挿入することによりロックされる。グリップ２ａの上側に配置したアンロックレバー２ｃを下方へ傾動させると、位置決めロッド２ｂを前側へ後退させてテーブル２の回転位置ロック状態を解除することができる。この解除状態でテーブル２を回転させることができる。テーブル２の回転位置は、グリップ２ａを締め込むことによっても固定することができる。
【０００８】
テーブル２に対して切断機本体１０は、上下２段のスライド機構を介して前後にスライド可能に支持されている。
テーブル２の後部には、下段側のスライド機構を介して本体支持部６が支持されている。下側のスライド機構は、左右一対のスライドバー５，５をテーブル２の下面に取り付けた軸受け（図では見えていない）を介して前後方向にスライド可能に支持した構成を備えている。下段側のスライド機構は、固定ねじ５ａを締め込むことにより任意の位置で固定される。
本体支持部６は左右傾動支持部７と本体支持アーム８を備えている。左右のスライドバー５，５の後部に、左右傾動支持部７が結合されている。左右傾動支持部７は、切断機本体１０を切断進行方向（前後方向）に対して左右に傾動させていわゆる傾斜切りを可能とする機能を有するもので、傾動支持側部材７ａと傾動側部材７ｂを傾動軸を介して相互に回転可能に結合した構成を有している。傾動軸は図では見えていないが、前後方向に沿って配置されており、側面視でテーブル２の上面に一致している。傾動支持側部材７ａは左右一対のスライドバー５，５の後端部に結合されている。傾動側部材７ｂの上面から本体支持アーム８が上方へ延びる状態に設けられている。この左右傾動支持部７により、切断機本体１０を直角切り位置の他、例えば左側に４５°傾斜させて切断材Ｗを傾斜切りすることができる。切断機本体１０の傾斜角度は、傾斜固定レバー７ｃを締め込むことにより固定される。
本体支持アーム８の上部に、一対のスライドバー１１，１１を主体とする上段側のスライド機構が設けられている。本体支持アーム８の上部には、スライドバー保持部９が設けられている。このスライドバー保持部９に２本のスライドバー１１，１１の後端部が結合されている。２本のスライドバー１１，１１は、スライドバー保持部９から前方へ長く延びる状態に固定されている。２本のスライドバー１１，１１は、上下方向に一定の間隔をおいて相互に平行に支持されている。２本のスライドバー１１，１１の前端部は、結合部材１２を介して相互に結合されている。
この２本のスライドバー１１，１１を介してスライダ１３が前後方向にスライド可能に支持されている。スライダ１３は、スライドバー保持部９と結合部材１２との間において前後にスライド可能に支持されている。スライダ１３には、そのスライド位置を固定するためのスライドロック装置３０が設けられている。このスライドロック装置３０の詳細については後述する。
【０００９】
スライダ１３の右側部に切断機本体１０が支持されている。切断機本体１０は、上下傾動部１４を介してスライダ１３に支持されている。切断機本体１０は、スライダ１３の右側部に上下傾動部１４の傾動支軸１４ａを介して上下に傾動可能に支持された本体ケース部１５と、本体ケース１５の右側部に取り付けられた電動モータ１６と、この電動モータ１６を駆動源として回転する円形の切断刃（図では見えていない）を備えている。切断刃の上側は本体ケース部１５に覆われている。また、切断刃の下側は開閉可能な可動カバー１７で覆われている。可動カバー１７は、上下傾動部１４と本体ケース１５との間に介装されたリンクアーム１７ａを介して当該切断機本体１０の上下動に連動して開閉される。図１に示すように切断機本体１０が上動端に位置する状態では、可動カバー１７は完全に閉じられて、切断刃の全体が本体ケース１５と可動カバー１７で覆われた状態となる。切断機本体１０を徐々に下動させると、可動カバー１７が図１において時計回り方向に回動して開かれていく。切断機本体１０が下動端に至ると、可動カバー１７が全開されて切断刃の下側が露出されて切断材Ｗに切り込まれる。
本体ケース部１５の右側方であって電動モータ１６の上方には、メインハンドル１８とサブハンドル１９が設けられている。メインハンドル１８は、当該切断機１０を上下動操作する際に把持される。メインハンドル１８の下面に、電動モータ１６を起動、停止操作するためのスイッチレバー１８ａが配置されている。当該メインハンドル１８を把持した使用者が、把持した手の指先でこのスイッチレバー１８ａを引き操作すると電動モータ１６が起動して切断刃が図１において時計回り方向に回転する。
サブハンドル１９は、当該切断機本体１０を下動端位置に傾動させると、ほぼ水平方向に延びる状態となる向きに設けられている。切断機本体１０は、図では見えていない下動端ロックによりこの下動端位置で固定される。このサブハンドル１９は、切断機本体１０を下動端に固定して当該切断工具１を持ち運ぶ際に把持されるもので、キャリングハンドルとして機能する。
切断機本体１０は照明器具２０を備えている。照明器具２０は、メインハンドル１８とサブハンドル１９との間付近から上方に延びている。この照明器具２０を点灯することにより主として切断部位が明るく照らされて暗がりでの切断作業の便宜が図られる。
【００１０】
切断機本体１０は、上下に傾動可能であるとともに、前後にスライドさせることができる。切断機本体１０は、前後スライド範囲の後端位置において上記スライドロック装置３０により位置固定することができる。スライドロック装置３０の詳細が図７以降に示されている。このスライドロック装置３０は、スライドバー支持部９に設けた当接部材３１と、スライダ１３側に設けた被当接部３２を備えている。
図１１に示すように当接部材３１には、先端に大径の先端当接部３１ａを備えた軸部材（ロックピン）が用いられている。この当接部材３１は、スライドバー支持部９に一体に設けた支持台座部３３に軸方向に移動可能に支持されている。支持台座部３３は、スライドバー支持部９の左側部の前端から前方へ突き出す状態に設けられている。当接部材３１は、この支持台座部３３に設けた段付き形状の支持孔３３ａ内に挿通されている。当接部材３１は、スライダ１３のスライド方向（前後方向）に交差する方向であって左右方向に移動可能な状態で支持台座部３３に支持されている。当接部材３１の先端当接部３１ａと支持台座部３３の支持孔３３ａとの間には、圧縮ばね３４が介装されている。この圧縮ばね３４により当接部材３１は、その先端当接部３１ａを支持台座部３３の右端面から右方へ突き出す方向（図１１において右方向）に付勢されている。突き出された先端当接部３１ａがスライダ１３の被当接部３２に進入することにより、当該スライダ１３がスライド後端位置でスライド不能に固定される。
当接部材３１の左端部（先端当接部３１ａとは反対側の端部）は、支持台座部３３の左側部から左方へ突き出されており、この突き出し部分にノブ３５が取り付けられている。ノブ３５は、止め輪３６によりスライド部材３１の左端部から脱落しないよう支持されている。
ノブ３５は当接部材３１に対して軸回りに回転可能に支持されている。ノブ３５の右端面には、２つの係合片部３５ａ，３５ａが右方へ張り出す状態に設けられている。２つの係合片部３５ａ，３５ａは、当接部材３１の軸回りの位置について周方向２等分位置に配置されている。
【００１１】
支持台座部３３の左端面には、支持孔３３ａの軸回りの位置について、周方向４等分位置に軸方向に深さが異なる２種類の係合溝３３ｂ，３３ｂ，３３ｃ，３３ｃが周方向交互に設けられている。２つの深い係合溝３３ｂ，３３ｂが軸回りの位置について相互に対向配置され、２つの浅い係合溝３３ｃ，３３ｃが同じく軸回りの位置について相互に対向配置されている。図７及び図８に示すようにノブ３５の係合片部３５ａ，３５ａを深い係合溝３３ｂ，３３ｂ内に進入させると、当接部材３１が圧縮ばね３４の付勢力によりその先端当接部３１ａを支持台座部３３の右端面から右方へ突き出すロック位置に移動させることができ、また当接部材３１がこのロック位置で保持される。
図４及び図７に示すように切断機本体１０をスライド後端位置にスライドさせてスライダ１３をスライドバー支持部９に当接させた状態で、当接部材３１をロック位置に移動操作すると、図８に示すようにその先端当接部３１ａがスライダ１３の被当接部３２に挿入されて、当該スライダ１３ひいては切断機本体１０がスライド後端位置においてスライド不能にロックされる。
【００１２】
これに対して図９及び図１０に示すようにノブ３５の係合片部３５ａ，３５ａを浅い係合溝３３ｃ，３３ｃ内に進入させると、当接部材３１が圧縮ばね３４に抗して左側へ後退したアンロック位置に保持される。このアンロック位置では、当接部材３１の先端当接部３１ａが支持台座部３３の右端面から突き出さない位置に保持された状態となる。このため、当接部材３１をアンロック位置に保持した状態では、当該スライドロック装置３０がロック機構として機能しない状態となり、従って使用者は当接部材３１を何ら保持することなく、切断機本体１０を全スライド範囲においてスムーズにスライド操作することができる。
当接部材３１をロック位置保持状態からアンロック位置保持状態、あるいはその逆にアンロック位置保持状態からロック位置保持状態に切り換えるには、ノブ３５を圧縮ばね３４に抗して左方へ引っ張って係合片部３５ａ，３５ａを全ての係合溝３３ｂ，３３ｂ，３３ｃ，３３ｃから離脱させた状態とし、この状態で当該ノブ３５を９０°回転させて係合片部３５ａ，３５ａを進入させる係合溝３３ｂ，３３ｂ（又は３３ｃ，３３ｃ）を切り換えることにより行うことができる。
スライダ１３の左側部の後端部には、支持台座部３３との干渉を避けるための逃がし凹部１３ａが設けられている。この逃がし凹部１３ａの底面中央に被当接部３２が設けられている。本実施形態では、被当接部３２として、当接部材３１の先端当接部３１ａを挿入可能な径の円形孔（ロック孔）が例示されている。
スライダ１３をスライド後端位置にスライドさせると、この逃がし凹部１３ａ内に支持台座部３３の一部が収容された状態となり、また当接部材３１の軸線上に被当接部３２が位置する状態となる。この状態で、ノブ３５を把持して当接部材３１をロック位置とアンロック位置に移動させることができ、またノブ３５を回転させて当接部材３１のロック位置保持状態とアンロック位置保持状態を切り換えることができる。
【００１３】
以上のように構成した本実施形態の卓上切断機によれば、スライドロック装置３０のノブ３５を把持して当接部材３１をその軸方向（左右方向）に移動させることにより、スライダ１３ひいては切断機本体１０のスライド後端位置におけるロック、アンロックを行うことができる。
このため、従来固定ねじを回転させてロック、アンロックする構成に比して、切断機本体１０のスライド位置のロック、アンロック操作をより簡単に行うことができる。
また、ノブ３５の係合片部３５ａ，３５ａを支持台座部３３の浅い係合溝３３ｃ，３３ｃに進入させておくことにより、当接部材３１をアンロック位置に保持できることから、当該スライドロック装置３０を機能させる必要のない場合等において、使用者が当接部材３１をわざわざアンロック位置に保持する手間を掛けることなく、切断機本体１０のスライド操作をスムーズに行うことができる。
さらに、例示したスライドロック装置３０によれば、当接部材３１の先端当接部３１ａをスライダ１３の被当接部３２（ロック孔）内に進入させることにより、切断機本体１０をスライド後端位置にロックする構成となっている。このため、従来固定ねじをスライドバーにねじの締め付け力で押し付けて固定する構成ではないので、切断刃の刃先を僅かに変位させてしまうことがなく、これにより精確な切断加工を行うことができる。
【００１４】
以上説明した実施形態には種々変更を加えることができる。例えば、スライダ１３側の被当接部３２としてロック孔を例示したが、これに代えて突起若しくは壁面を当接部材３１に対する被当接部としてもよい。
また、被当接部３２としてのロック孔内に当接部材３１の先端当接部３１ａを挿入してロックする構成を例示したが、被当接部としての当接面に当接部材３１の先端当接部３１ａを押し付けて、両者間の摩擦によりスライダ１３ひいては切断機本体１０のスライド位置をロックする構成としてもよい。
また、スライドロック装置３０により切断機本体１０をスライド後端位置でロックする構成を例示したが、支持台座部３３を例示した位置から前側へずらした位置に配置してスライド後端位置よりも手前の位置でロックする構成としてもよい。
さらに、支持台座部を前後方向の複数位置に配置し、それぞれに当接部材を設けて、切断機本体をスライド方向の複数位置でロック可能な構成としてもよい。
また、使用者から見てスライドバー保持部９の左側部にスライドロック装置３０を設けた構成を例示したが、右側部に設けた構成としてもよい。
さらに、支持台座部を例示した位置よりも左方へずらした位置に配置することにより、スライダ１３の逃がし凹部１３ａを省略した構成としてもよい。
また、下段側のスライド機構（スライドバー５，５）を備えない一段スライドタイプの卓上切断機についても、例示したスライドロック装置３０を適用することができる。
【符号の説明】
【００１５】
１…切断工具、Ｗ…切断材
２…テーブル、２ａ…グリップ、２ｂ…位置決めロッド、２ｃ…ロックレバー
３…ベース、３ａ…補助テーブル部
４…切断材位置決め用のフェンス
５…スライドバー（下段側）、５ａ…固定ねじ
６…本体支持部
７…左右傾動支持部
７ａ…傾動支持側部材、７ｂ…傾動側部材、７ｃ…傾斜固定レバー
８…本体支持アーム
９…スライドバー保持部
１０…切断機本体
１１…スライドバー（上段側）
１２…結合部材
１３…スライダ、１３ａ…逃がし凹部
１４…上下傾動部、１４ａ…傾動支軸
１５…本体ケース
１６…電動モータ
１７…可動カバー、１７ａ…リンクアーム
１８…メインハンドル、１８ａ…スイッチレバー
１９…サブハンドル
２０…照明器具
３０…スライドロック装置
３１…当接部材（ロックピン）、３１ａ…先端当接部
３２…被当接部(ロック孔）
３３…支持台座部
３３ａ…支持孔、３３ｂ…係合溝（深い）、３３ｃ…係合溝（浅い）
３４…圧縮ばね
３５…ノブ、３５ａ…係合片部
３６…止め輪
【図１】
2015016514.tif 000003
【図２】
2015016514.tif 000004
【図３】
2015016514.tif 000005
【図４】
2015016514.tif 000006
【図５】
2015016514.tif 000007
【図６】
2015016514.tif 000008
【図７】
2015016514.tif 000009
【図８】
2015016514.tif 000010
【図９】
2015016514.tif 000011
【図１０】
2015016514.tif 000012
【図１１】
2015016514.tif 000013